(57)【要約】【課題】  遊技者に対する保留状況の表示が興趣性に富み、かつ遊技者がその表示を容易に確認することができる弾球遊技機を提供すること。【解決手段】  弾球遊技機は、図柄の変動表示が可能な図柄表示装置と、始動入賞口に遊技球が入賞したことを検出する検出手段と、図柄表示装置による図柄の変動表示中に検出手段により検出された遊技球を保留球として表示可能な保留表示装置１００を備えている。この保留表示装置１００は、図柄の変動表示中に検出手段により検出された遊技球の代替表示物を視認可能に貯留する貯留機構１１０と、代替表示物の供給機構１２０とを有し、供給機構から貯留機構に供給して貯留した代替表示物により保留球の数を表示する。これにより、遊技球の保留状況の表示を代替表示物により興趣性に富んだものとすることができ、さらに遊技者はその表示状態を容易に確認することができるので、遊技状況を的確に把握することができる。【選択図】  図２
2005103157.tif 000002
【特許請求の範囲】
【請求項１】
図柄の変動表示が可能な図柄表示装置と、
始動入賞口に遊技球が入賞したことを検出する検出手段と、
前記図柄表示装置による図柄の変動表示中に前記検出手段により検出された遊技球を保留球として表示可能な保留表示装置とを備えた弾球遊技機において、
前記保留表示装置は、前記図柄の変動表示中に前記検出手段により検出された遊技球の代替表示物を視認可能に貯留する貯留機構と、前記代替表示物の供給機構とを有し、該供給機構から前記貯留機構に供給して貯留した前記代替表示物により前記保留球の数を表示することを特徴とする弾球遊技機。
【請求項２】
前記代替表示物は、前記検出手段により検出された遊技球とは別個に用意された擬似球から成ることを特徴とする請求項１に記載の弾球遊技機。
【請求項３】
前記保留表示装置は、更に、前記貯留機構に貯留した代替表示物を１個ずつ放出する放出機構を有することを特徴とする請求項１または２に記載の弾球遊技機。
【請求項４】
前記保留表示装置は、更に、前記供給機構にある前記代替表示物を該供給機構から前記貯留機構に１個ずつ供給するための第１の駆動制御手段と、該第１の駆動制御手段と同期して前記貯留機構にある他の前記代替表示物を該貯留機構から前記放出機構を介して１個ずつ放出するための第２の駆動制御手段とを有することを特徴とする請求項３に記載の弾球遊技機。
【請求項５】
前記放出機構は、前記代替表示物を１個ずつ落下させて放出する開閉手段を含むことを特徴とする請求項３または４に記載の弾球遊技機。
【請求項６】
前記第２の駆動制御手段は、前記図柄の変動表示開始と同時に前記貯留機構から前記放出機構を介して他の前記代替表示物を１個放出することを特徴とする請求項４または５に記載の弾球遊技機。
【請求項７】
前記貯留機構は、遊技機盤面の中央もしくは片側に配設されていることを特徴とする請求項１〜６の何れか一項に記載の弾球遊技機。
【請求項８】
図柄の変動表示が可能な図柄表示装置と、
始動入賞口に遊技球が入賞したことを検出する検出手段と、
前記図柄表示装置による図柄の変動表示中に前記検出手段により検出された遊技球を保留球として表示可能な保留表示装置と、
前記始動入賞口に遊技球が入賞する毎に乱数を取得する乱数取得手段と、
前記乱数取得手段で取得された乱数に基づき特別遊技を実行するか否かの判定を実行する判定手段と、
前記判定手段による判定結果に基づいて前記図柄表示装置に前記図柄を変動表示させた後に停止表示させる図柄変動演出を制御する図柄制御手段と、
前記図柄制御手段により停止表示された前記図柄が予め定められた当たり図柄であるときに、遊技領域に設けられた可変入賞口を入賞容易とする遊技を行わせる特別遊技実行手段とを備えた弾球遊技機において、
前記保留表示装置は、前記図柄の変動表示中に前記検出手段により検出された遊技球の代替表示物を視認可能に貯留する貯留機構と、前記代替表示物の供給機構とを有し、該供給機構から前記貯留機構に供給して貯留した前記代替表示物により前記保留球の数を表示すると共に、前記判定手段による判定結果に基づいて、前記供給機構から前記貯留機構に供給する代替表示物を異ならせることを特徴とする弾球遊技機。
【請求項９】
前記保留表示装置は、前記判定手段による判定結果に基づいて、前記代替表示物の色を異ならせることを特徴とする請求項８に記載の弾球遊技機。
【請求項１０】
前記保留表示装置は、前記判定手段による判定結果に基づいて、前記代替表示物の材質を異ならせることを特徴とする請求項８に記載の弾球遊技機。
【請求項１１】
前記保留表示装置は、更に、前記判定手段による判定結果に基づいて、前記供給機構から前記貯留機構に供給する一の色又は材質の代替表示物を選択する選択手段を有することを特徴とする請求項９または１０に記載の弾球遊技機。
【発明の詳細な説明】
【技術分野】
【０００１】
本発明は、パチンコ遊技機等の弾球遊技機に関し、特に図柄の変動表示中に始動入賞口に入賞した遊技球を保留する際に当該遊技球の代替表示物を貯留・表示可能な弾球遊技機に関する。
【背景技術】
【０００２】
一般的に、弾球遊技機の１つであるパチンコ遊技機は、遊技機盤面に設けられている始動入賞口に遊技球が入賞すると、それを契機に大当たり等の抽選を行う。そして、その抽選結果に基づいて遊技機盤面に設けられている図柄表示装置において図柄を変動表示及び停止表示等させるようになっている。このようなパチンコ遊技機は、図柄の変動表示中に遊技球が始動入賞口に入賞したときは保留され、その保留状態は遊技機盤面に設けられているＬＥＤにより点灯表示されるようになっている。
【０００３】
【特許文献１】特開平７−２８４５５９号公報
【発明の開示】
【発明が解決しようとする課題】
【０００４】
上述した従来のパチンコ遊技機は、図柄の変動表示中に始動入賞口に入賞した遊技球の保留状態をＬＥＤにより点灯表示するのみであるため、遊技者にとって単調で興趣性に欠けるものであった。
【０００５】
本発明は、上記のような種々の課題に鑑みなされたものであり、その目的は、遊技者に対する保留状況の表示が興趣性に富み、かつ遊技者がその表示を容易に確認することができる弾球遊技機を提供することにある。
【課題を解決するための手段】
【０００６】
上記目的達成のため、本発明の弾球遊技機では、図柄の変動表示が可能な図柄表示装置と、始動入賞口に遊技球が入賞したことを検出する検出手段と、前記図柄表示装置による図柄の変動表示中に前記検出手段により検出された遊技球を保留球として表示可能な保留表示装置とを備えた弾球遊技機において、前記保留表示装置は、前記図柄の変動表示中に前記検出手段により検出された遊技球の代替表示物を視認可能に貯留する貯留機構と、前記代替表示物の供給機構とを有し、該供給機構から前記貯留機構に供給して貯留した前記代替表示物により前記保留球の数を表示することを特徴としている。これにより、遊技球の保留状況の表示を代替表示物により興趣性に富んだものとすることができ、さらに遊技者はその表示状態を容易に確認することができるので、遊技状況を的確に把握することができる。
【０００７】
また、前記代替表示物は、前記検出手段により検出された遊技球とは別個に用意された擬似球から成ることを特徴としている。これにより、大きさや材質等が規制された遊技球を用いずに代替表示物により保留数を表示することができるので、弾球遊技機の設計自由度を高めることができる。また、前記保留表示装置は、更に、前記貯留機構に貯留した代替表示物を１個ずつ放出する放出機構を有することを特徴としている。これにより、遊技者は保留消化状況を容易に把握することができる。また、前記保留表示装置は、更に、前記供給機構にある前記代替表示物を該供給機構から前記貯留機構に１個ずつ供給するための第１の駆動制御手段と、該第１の駆動制御手段と同期して前記貯留機構にある他の前記代替表示物を該貯留機構から前記放出機構を介して１個ずつ放出するための第２の駆動制御手段とを有することを特徴としている。これにより、保留数の増減を高精度に制御することができる。
【０００８】
また、前記放出機構は、前記代替表示物を１個ずつ落下させて放出する開閉手段を含むことを特徴としている。これにより、代替表示物を１個ずつ確実に放出することができるので、遊技者は安心して遊技を楽しむことができる。また、前記第２の駆動制御手段は、前記図柄の変動表示開始と同時に前記貯留機構から前記放出機構を介して他の前記代替表示物を１個放出することを特徴としている。これにより、図柄変動演出開始に伴って、保留消化表示が分かり易く表示できる。また、前記貯留機構は、遊技機盤面の中央もしくは片側に配設されていることを特徴としている。これにより、形態の自由度が高い弾球遊技機を設計することが可能となる。
【０００９】
上記目的達成のため、本発明の弾球遊技機では、図柄の変動表示が可能な図柄表示装置と、始動入賞口に遊技球が入賞したことを検出する検出手段と、前記図柄表示装置による図柄の変動表示中に前記検出手段により検出された遊技球を保留球として表示可能な保留表示装置と、前記始動入賞口に遊技球が入賞する毎に乱数を取得する乱数取得手段と、前記乱数取得手段で取得された乱数に基づき特別遊技を実行するか否かの判定を実行する判定手段と、前記判定手段による判定結果に基づいて前記図柄表示装置に前記図柄を変動表示させた後に停止表示させる図柄変動演出を制御する図柄制御手段と、前記図柄制御手段により停止表示された前記図柄が予め定められた当たり図柄であるときに、遊技領域に設けられた可変入賞口を入賞容易とする遊技を行わせる特別遊技実行手段とを備えた弾球遊技機において、前記保留表示装置は、前記図柄の変動表示中に前記検出手段により検出された遊技球の代替表示物を視認可能に貯留する貯留機構と、前記代替表示物の供給機構とを有し、該供給機構から前記貯留機構に供給して貯留した前記代替表示物により前記保留球の数を表示すると共に、前記判定手段による判定結果に基づいて、前記供給機構から前記貯留機構に供給する代替表示物を異ならせることを特徴としている。これにより、遊技球の保留状況の表示を代替表示物により興趣性に富んだものとすることができるとともに、各代替表示物と判定結果を対応させて表示することができるので、遊技者はその表示状態を容易に確認することができ、遊技状況を的確に把握することができる。
【００１０】
また、前記保留表示装置は、前記判定手段による判定結果に基づいて、前記代替表示物の色を異ならせることを特徴としている。また、前記保留表示装置は、前記判定手段による判定結果に基づいて、前記代替表示物の材質を異ならせることを特徴としている。また、前記保留表示装置は、更に、前記判定手段による判定結果に基づいて、前記供給機構から前記貯留機構に供給する一の色又は材質の代替表示物を選択する選択手段を有することを特徴としている。これにより、遊技者は一目で特別遊技を実行するか否かの判定結果を知ることができる。
【発明の効果】
【００１１】
本発明によれば、遊技球の保留状況の表示を代替表示物により興趣性に富んだものとすることができ、さらに遊技者はその表示状態を容易に確認することができるので、遊技状況を的確に把握することができる。
【発明を実施するための最良の形態】
【００１２】
図１は、本発明の実施形態に係る弾球遊技機の遊技機盤面の外観を示す正面図である。この弾球遊技機１の遊技機盤面１０の略中央には、図柄を変動表示及び停止表示等する図柄表示装置１１が配設されている。この図柄表示装置１１は、主に液晶ディスプレイが使用されるが、画面上に画像を表示可能であれば例えばＣＲＴ、ドットマトリックス等の表示装置でも良い。
【００１３】
図柄表示装置１１の下方には、遊技球が入賞可能な始動入賞口１２と、この始動入賞口１２に続く本発明の特徴的な部分である保留表示装置１００が配設されている。始動入賞口１２は、遊技球の入賞を契機として図柄表示装置１１における特別図柄の変動表示の開始に係る機能を有している。この始動入賞口１２の上部の開口部には、開口幅を拡大する拡大装置１３が配設されている。この拡大装置１３は、通常は遊技球が１個通過可能であるが２個同時通過不可能な幅を保つことにより、始動入賞口１２への遊技球の入賞を困難なものとしているが、拡大時は広い範囲で遊技球を拾うことにより、始動入賞口１２への遊技球の入賞を容易なものとする機能を有している。保留表示装置１００は、始動入賞口１２へ入賞した遊技球の代替表示物を貯留し、その代替表示物により保留球の数を表示する装置であり、詳細は後述する。
【００１４】
保留表示装置１００の下方には、アタッカーユニット１４が配設されている。このアタッカーユニット１４の正面略中央には、特別遊技である大当たり遊技の際に開放する大入賞口１５が設けられている。大当たり遊技とは、図柄表示装置１１に停止表示される特別図柄が例えば同一であるときの大当たり図柄の場合に遊技者に特別の利益が提供されるような遊技をいう。例えば通常は閉鎖している大入賞口１５が３０秒という所定時間の経過または１０球という所定個数の遊技球の入賞の何れかが起こるまで開放することを、１５回という所定回数繰り返し、また、大入賞口１５の開放中に内部に設けられているＶゾーンへの入賞が無かった場合には終了するというような遊技をいう。
【００１５】
保留表示装置１００の左右両端には、入賞口１６が配設され、保留表示装置１００と入賞口１６の間には、遊技球が通過可能なゲート１７が配設されている。ゲート１７は、遊技球の通過を契機として普通図柄表示部３における普通図柄の変動表示の開始に係る機能を有している。普通図柄は、普通図柄表示部３に設けられたランプの表示によって行われる。ランプの点灯が所定の状態に点灯すると、始動入賞口１２の拡大装置１３を所定時間作動させる。
【００１６】
遊技機盤面１０の下端には、始動入賞口１２、大入賞口１５、入賞口１６の何れにも入賞しなかった遊技球が排出されるアウト口１８が配設されている。さらに、遊技機盤面１０には、遊技球の落下方向に変化を付けるための風車１９及び図示しない釘が配設されている。そして、遊技機盤面１０の前面は、図示しないガラス板で覆われている。さらに、遊技機盤面１０の下方には、遊技球を遊技機盤面１０の下端から上端へ打ち出すための図示しない弾球ハンドルや、始動入賞口１２、大入賞口１５、入賞口１６に遊技球が入賞したときに複数個の遊技球が払い出される図示しない賞球払出口及びそれらの遊技球を受ける球受け皿が配設されている。
【００１７】
図２（Ａ）、（Ｂ）は、上記保留表示装置１００の詳細を示す正面図及び側面図である。この保留表示装置１００は、始動入賞口１２の下方に配設されており、始動入賞口１２に入賞した遊技球の代替表示物を貯留する貯留機構１１０と、この貯留機構１１０に代替表示物を供給する供給機構１２０と、貯留機構１１０に貯留された代替表示物を放出する放出機構１３０と、供給機構１２０から代替表示物を適時供給する供給駆動制御手段４４（図３参照）と、放出機構１２０から代替表示物を適時放出する放出駆動制御手段４５（図３参照）を備えている。
【００１８】
貯留機構１１０は、始動入賞口１２の下部から下方へ延びる直方体状の貯留容器１１１と、この貯留容器１１１内の上部から下部にかけてジグザグに配設された４枚の矩形状の案内板１１２ａ、１１２ｂ、１１２ｃ、１１２ｄを備えている。供給機構１２０は、遊技機盤面１０の裏面側であって貯留容器１１１の上方に配設された四角錐状の供給容器１２１と、この供給容器１２１の下部と貯留容器１１１の上部とを繋ぐ供給管１２２と、この供給管１２２の供給容器１２１側に所定間隔を空けて配設された２つの板状のシャッタ１２３ａ、１２３ｂ及び各シャッタ１２３ａ、１２３ｂに連接されたソレノイド１２４ａ、１２４ｂを備えている。
【００１９】
放出機構１３０は、貯留容器１１１の最下部に配置された案内板１１２ｄの下端と、貯留容器１１１の下部に設けられた放出口１１１ａにそれぞれ配設された開閉手段を構成する２つの板状のシャッタ１３１ａ、１３１ｂ及び各シャッタ１３１ａ、１３１ｂに連接されたソレノイド１３２ａ、１３２ｂを備えている。供給駆動制御手段（第１の駆動制御手段）４４及び放出駆動制御手段（第２の駆動制御手段）４５は、例えばＲＯＭ等に記憶されたプログラムで構成されている。
【００２０】
案内板１１２ａは、始動入賞口１２に入賞した遊技球の代替表示物を上端で受けて下方の案内板１１２ｂへ案内するようになっている。案内板１１２ｂは、案内板１１２ａの下端から落下してくる代替表示物を上端で受けて下方の案内板１１２ｃへ案内するようになっている。同様に、案内板１１２ｃは、案内板１１２ｂの下端から落下してくる代替表示物を上端で受けて下方の案内板１１２ｄへ案内するようになっている。そして、案内板１１２ｄは、案内板１１２ｃの下端から落下してくる代替表示物を上端で受けて下方の貯留容器１１１の放出口１１１ａへ案内するようになっている。
【００２１】
貯留容器１１１と案内板１１２ａ、１１２ｂ、１１２ｃ、１１２ｄは例えば透明のプラスチックで形成されており、遊技者は遊技機盤面１０の前面を覆っているガラス板と貯留容器１１１を介して案内板１１２ａ、１１２ｂ、１１２ｃ、１１２ｄ上をジグザグに落下する代替表示物及び案内板１１２ａ、１１２ｂ、１１２ｃ、１１２ｄ上で整列して貯留される代替表示物を視認することができる。
【００２２】
供給容器１２１は、代替表示物を内部に積み重ねて貯留し、下方に配設された供給管１２２へ導入するようになっている。供給管１２２は、供給容器１２１の下部に設けられた導入口１２１ａと、貯留容器１１１の最上部に配置された案内板１１２ａの上端近傍に穿孔された供給口１１１ｂとを連結し、供給容器１２１から導入される代替表示物を貯留容器１１１へ供給するようになっている。シャッタ１２３ａ、１２３ｂは、ソレノイド１２４ａ、１２４ｂの駆動により水平方向に移動、すなわち供給容器１２１の導入口１２１ａを開閉可能なように移動するようになっている。このように配置された各シャッタ１２３ａ、１２３ｂの開閉を交互に行うことにより、代替表示物を１個ずつ供給容器１２１の導入口１２１ａから貯留容器１１１の供給口１１１ｂを介して案内板１１２ａの上端へ供給させることができる。
【００２３】
シャッタ１３１ａ、１３１ｂは、ソレノイド１３２ａ、１３２ｂの駆動により水平方向に移動、すなわち案内板１１２ｄの下端及び貯留容器１１１の放出口１１１ａを開閉可能なように移動するようになっている。このように配置された各シャッタ１３１ａ、１３１ｂの開閉を交互に行うことにより、代替表示物を１個ずつ貯留容器１１１の放出口１１１ａから外部へ放出させることができる。なお、放出された代替表示物は、トレイ等に回収されて貯留容器１１１へ戻されるようになっている。
【００２４】
このような保留表示装置１００は、始動入賞口１２に入賞する遊技球の代替表示物を順次貯留し、始動入賞口１２に遊技球が入賞する毎に行われる特別遊技の実行可否の判定結果に基づいて図柄表示装置１１に特別図柄を変動表示させた後に停止表示させる図柄変動演出、例えばハズレ、リーチ、スーパーリーチ、大当たりの開始の都度、貯留した代替表示物を１個ずつ放出するようになっている。ここで、リーチとは、例えば３つの図柄変動表示を行う場合に２つの図柄が揃い、あと１つの図柄が揃えば大当たりになるという状態の表示演出を行うことをいい、スーパーリーチとは、通常のリーチよりも大当たりとなる確率の高い状態の表示演出を行うことを意味している。以上のような保留表示装置１００によれば、遊技者は代替表示物の表示状態を見て容易に遊技状況を把握することができるとともに、保留消化状況を容易に把握することができる。
【００２５】
以上のような構成の弾球遊技機１の遊技の概要を図１及び図２を参照して説明する。遊技者が弾球ハンドルを操作すると、遊技球が発射されガイドレール２に案内されて遊技機盤面１０の上方に放出される。遊技球は、風車１９や釘等に接触して落下方向が変化しながら、一部は入賞口１６あるいは始動入賞口１２に入り、入賞口１６あるいは始動入賞口１２に入らなかった遊技球は、アウト口１８に入る。遊技球が入賞口１６に入賞すると、賞球払出口から例えば５球の賞球が遊技者に払い出される。
【００２６】
また、遊技球がゲート１７を通過すると、図示しないセンサからの通過信号を契機に抽選が行われ、普通図柄表示部３のランプが変動を開始する。そして、変動開始してから例えば３０秒が経過すると、抽選された結果の態様でランプが停止する。このときランプの停止態様が予め定められた当たりの態様であれば、始動入賞口１２の拡大装置１３が例えば０．５秒作動する。これにより、始動入賞口１２の開口幅が拡大するので、始動入賞口１２への入賞が容易となる。また、停止表示される普通図柄が５または６のときは、始動入賞口１２の拡大装置１３は作動しないが、この場合でも始動入賞口１２への入賞は可能である。なお、図柄表示装置１１において普通図柄の変動中に遊技球がゲート１７を通過した場合には、その分の変動は保留されて順次実行される。
【００２７】
また、遊技球が始動入賞口１２に入賞すると、後述する始動入賞検出器１２ａ（図３参照）からの検出信号を契機に賞球払出口から例えば５球の賞球が遊技者に払い出されるとともに、入賞した遊技球の代替表示物が供給口１１１ｂから供給されて案内板１１２ａ、１１２ｂ、１１２ｃ、１１２ｄ上をジグザグに落下する。同時に、シャッタ１３１ａ、１３１ｂの間に貯留されている代替表示物が放出口１１１ａから放出されると、図柄表示装置１１において特別図柄が変動を開始して、放出された代替表示物に対応する特別図柄で変動が停止する。なお、始動入賞口１２に入賞した遊技球は、始動入賞口１２の後方に連結された排出管を通って遊技機盤面１０の後方に配設されたトレイ等に排出される。
【００２８】
そして、このとき停止表示される特別図柄が大当たり図柄であるときは、大当たり遊技が発生して普段は閉鎖している大入賞口１５が開放する。そして、遊技球が大入賞口１５に入賞すると、賞球払出口から例えば１５球の賞球が遊技者に払い出される。この大入賞口１５は、例えば開放してから３０秒経過するか、１０球の入賞があるかの何れかにより一旦閉鎖する。そして、この大入賞口１５が開放している間に、この大入賞口１５の内部に設けられているＶゾーンへの入賞があると、大入賞口１５は一旦閉鎖した後、再度開放するようになっている。このような大入賞口１５の開放及び閉鎖の繰り返し、すなわちラウンドは、例えば最大１５回連続するようになっている。一方、大入賞口１５が１５回開閉を繰り返すか、大入賞口１５の開放中にＶゾーンへの入賞が無かった場合には、この大当たり遊技は終了する。
【００２９】
図３は、上記弾球遊技機１に係る機能を制御する装置のブロック図である。主制御装置２０は、始動入賞口入賞判定手段２１、表示概要決定手段（乱数取得手段、判定手段）２２、大入賞口駆動制御手段（特別遊技実行手段）２３及びコマンド送信手段２４を備えている。始動入賞口入賞判定手段２１は、始動入賞口１２に配設された始動入賞検出器（検出手段）１２ａからの検出信号により、始動入賞口１２に遊技球が入賞したか否かを判定する。この始動入賞検出器１２ａは、例えば受発光素子を有する光センサを備え、発光素子からの光を遊技球が遮ることにより遊技球を検出するようになっている。なお、始動入賞検出器１２ａとしては、上述した透過型の光センサのみならず、反射型の光センサや磁気センサ、容量センサ、機械式センサ等を使用することができる。
【００３０】
表示概要決定手段２２は、抽選手段２５、停止図柄決定手段２６、概要変動パターン決定手段２７を備えている。抽選手段２５は、始動入賞口１２に遊技球が入賞する毎に当たり乱数を取得し、この当たり乱数に基づいて特別遊技を実行するか否かを判定する。停止図柄決定手段２６は、抽選手段２５の判定結果に基づいて図柄表示装置１１に図柄を変動表示させた後に停止表示させる図柄変動演出の際の停止図柄を決定する。概要変動パターン決定手段２７は、図柄変動演出の際の概要変動パターンを決定する。大入賞口駆動制御手段２３は、アタッカーユニット１４の大入賞口１５に配設されたソレノイドで成る大入賞口駆動源１４ａを駆動させて大入賞口１５を開閉制御する。コマンド送信手段２４は、表示概要決定手段２２で決定された表示概要のコマンドを副制御装置３０へ送信する。
【００３１】
副制御装置３０は、コマンド受信手段３１、可動物駆動判定手段３２、画像制御手段（図柄制御手段）３３及び貯留制御手段３４を備えている。コマンド受信手段３１は、コマンド送信手段２４から送信される表示概要決定手段２２で決定された表示概要のコマンドを受信する。可動物駆動判定手段３２は、詳細表示内容確認手段３５、予告時駆動判定手段３６、タイミング判定手段３７を備えている。詳細表示内容確認手段３５は、表示概要の内容の詳細を確認する。予告時駆動判定手段３６は、抽選手段３８と抽選判定テーブル３９を備えている。抽選手段３８は、表示概要に従って低確率作動用の抽選判定テーブル３９ａまたは高確率作動用の抽選判定テーブル３９ｂから所定の可動物作動判定乱数を取得する。タイミング判定手段３７は、表示概要のタイミングを判定する。画像制御手段３３は、抽選手段４１を有する詳細表示内容決定手段４２を備えている。抽選手段４１は、表示概要に従って概要変動パターン決定乱数を取得する。
【００３２】
貯留制御手段３４は、表示概要記憶手段４３と供給駆動制御手段４４と放出駆動制御手段４５を備えている。表示概要記憶手段４３は、貯留する遊技球毎に表示概要を記憶する。供給駆動制御手段４４は、シャッタ１２３ａ、１２３ｂの間に保持されている代替表示物を供給するために、前後変位駆動源１２４であるソレノイド１２４ａ、１２４ｂを駆動制御して各シャッタ１２３ａ、１２３ｂを開閉する。なお、供給機構１２０の基準位置センサ１２５は、各シャッタ１２３ａ、１２３ｂの基準位置、例えば閉位置を常時検出して開閉不良を防止する。放出駆動制御手段４５は、シャッタ１３１ａ、１３１ｂの間に貯留されている代替表示物を放出するために、前後変位駆動源１３２であるソレノイド１３２ａ、１３２ｂを駆動制御して各シャッタ１３１ａ、１３１ｂを開閉する。なお、放出機構１３０の基準位置センサ１３３は、各シャッタ１３１ａ、１３１ｂの基準位置、例えば閉位置を常時検出して開閉不良を防止する。
【００３３】
このような構成において、上記弾球遊技機１の始動入賞口１２に係る動作を図４のフローチャートを参照して説明する。始動入賞口入賞判定手段２１は、始動入賞検出器１２ａからの検出信号により、始動入賞口１２に遊技球が入賞するまで判定し（ステップＳ１）、始動入賞口１２に遊技球が入賞したら停止図柄をセットする（ステップＳ２）。詳細表示内容決定手段４２の抽選手段４１は、概要変動パターン決定乱数を取得し（ステップＳ３）、予告時駆動判定手段３６の抽選手段３８は、可動物作動判定乱数を取得する（ステップＳ４）。
【００３４】
そして、表示概要決定手段２２の抽選手段２５は、当たり乱数を取得して格納し（ステップＳ５）、この乱数により大当たりか否かを判定する（ステップＳ６）。そして、大当たりの場合は、表示概要決定手段２２の停止図柄決定手段２６は、上記乱数に該当する当たり停止図柄を決定し（ステップＳ７）、表示概要決定手段２２の概要変動パターン決定手段２７は、当たり変動パターンから概要変動パターンを決定する（ステップＳ８）。貯留制御手段３４の表示概要記憶手段４３は、貯留する遊技球毎にリーチ、スーパーリーチ、大当たりの中から該当する概要変動パターンを記憶する（ステップＳ９）。
【００３５】
一方、ハズレの場合は、表示概要決定手段２２の停止図柄決定手段２６は、上記乱数に該当するハズレ停止図柄を決定し（ステップＳ１０）、リーチか否かを判定する（ステップＳ１１）。そして、リーチである場合は、リーチ変動パターンから概要変動パターンを決定し（ステップＳ１２）、リーチでない場合は、ハズレ変動パターンから概要変動パターンを決定する（ステップＳ１３）。貯留制御手段３４の表示概要記憶手段４３は、貯留する遊技球毎にハズレ、リーチ、スーパーリーチの中から該当する概要変動パターンを記憶する（ステップＳ１４）。そして、コマンド送信手段２４は、概要変動パターンのコマンドをコマンド受信手段３１へ送信する（ステップＳ１５）。
【００３６】
貯留制御手段３４の供給駆動制御手段４４は、前後変位駆動源１２４であるソレノイド１２４ａ、１２４ｂを駆動制御して各シャッタ１２３ａ、１２３ｂを開閉し、シャッタ１２３ａ、１２３ｂの間に保持されている代替表示物を供給する。同時に、貯留制御手段３４の放出駆動制御手段４４は、前後変位駆動源１３２であるソレノイド１３２ａ、１３２ｂを駆動制御して各シャッタ１３１ａ、１３１ｂを開閉し、シャッタ１３１ａ、１３１ｂの間に貯留されている代替表示物を放出し（ステップＳ１６）、ステップＳ１へ戻って上述した処理を繰り返す。
【００３７】
ここで、貯留制御手段３４の供給駆動制御手段４４及び放出駆動制御手段４５による供給機構１２０及び放出機構１３０の駆動制御の具体例を図５〜図８を参照して説明する。なお、貯留機構１１０内の案内板１１２ａ、１１２ｂ、１１２ｃ、１１２ｄ上には、複数の代替表示物としてプラスチックで成る疑似球Ｂが既に整列され貯留されているものとする。図５に示すように、始動入賞口１２を遊技球ＢＢが通過したら、図６に示すように、ソレノイド１２４ｂを駆動制御してシャッタ１２３ｂを開き、シャッタ１２３ａ、１２３ｂの間に保持されている１個の疑似球Ｂ１を供給管１２２に導入する。これと同時に、ソレノイド１３２ｂを駆動制御してシャッタ１３１ｂを開き、シャッタ１３１ａ、１３１ｂの間に貯留されている１個の疑似球Ｂ２を外部へ放出し、遊技機盤面１０の後方に配設されたトレイ等に回収する。そして、上記疑似球Ｂ１を供給口１１１ｂを介して案内板１１２ａの上端で受けて案内板１１２ａに沿って転動させ、案内板１１２ａの下端に既に貯留されている疑似球Ｂ３に接触させて整列させ貯留する。
【００３８】
そして、図７に示すように、ソレノイド１２４ｂを駆動制御してシャッタ１２３ｂを閉じるとともに、ソレノイド１２４ａを駆動制御してシャッタ１２３ａを開き、シャッタ１２３ａに接触して保持されている１個の疑似球Ｂ４をシャッタ１２３ａ、１２３ｂの間に落下させる。これと同時に、ソレノイド１３２ｂを駆動制御してシャッタ１３１ｂを閉じるとともに、ソレノイド１３２ａを駆動制御してシャッタ１３１ａを開き、シャッタ１３１ａに接触して貯留されている１個の疑似球Ｂ５をシャッタ１３１ａ、１３１ｂの間に落下させる。
【００３９】
続いて、図８に示すように、ソレノイド１２４ａを駆動制御してシャッタ１２３ａを閉じ、１個の疑似球Ｂ４をシャッタ１２３ａ、１２３ｂの間に保持する。このとき、疑似球Ｂ４よりも上方に貯留されていた複数の疑似球Ｂは転動・落下するので、シャッタ１２３ａ上は再び擬似球Ｂで満たされる。これと同時に、ソレノイド１３２ａを駆動制御してシャッタ１３１ａを閉じ、１個の疑似球Ｂ５をシャッタ１３１ａ、１３１ｂの間に貯留する。このとき、疑似球Ｂ５よりも上方に整列して貯留されていた複数の疑似球Ｂは転動・落下するので、シャッタ１３１ａ上は再び擬似球Ｂで満たされる。
【００４０】
図９（Ａ）、（Ｂ）は、保留表示装置の別例の詳細を図２に対応させて示す正面図及び側面図であり、同一構成箇所は同一番号を付して説明を省略する。この保留表示装置２００は、図２の保留表示装置１００と略同一構成であるが、図２の保留表示装置１００の放出機構１３０の代わりに新たな放出機構２３０を設けている点で異なる構成となっている。この放出機構２３０は、貯留容器１１１の下部の放出口１１１ａの下方に配設された回転体２３１及び回転体２３１と図示しないギア機構等で連結されたモータ２３２を備えている。回転体２３１は、例えばプラスチックで周面に保持羽根２３１ａで３等配された半球状の凹部２３１ｂを備えた円筒形状に形成されており、回転することにより貯留容器１１１の下部の放出口１１１ａから代替表示物を凹部２３１ｂで１個ずつ受け取って外部へ放出し、遊技機盤面１０の後方に配設されたトレイ等に回収されて貯留容器１１１へ戻されるようになっている。
【００４１】
このような保留表示装置２００も、始動入賞口１２に入賞する遊技球の代替表示物を順次貯留し、始動入賞口１２に遊技球が入賞する毎に行われる特別遊技の実行可否の判定結果に基づいて図柄表示装置１１に特別図柄を変動表示させた後に停止表示させる図柄変動演出、例えばハズレ、リーチ、スーパーリーチ、大当たりの開始の都度、貯留した代替表示物を１個ずつ放出するようになっている。以上のような貯留表示装置２００によれば、遊技者はその表示状態を見て容易に遊技状況を把握することができるとともに、保留消化状況を容易に把握することができる。
【００４２】
ここで、貯留制御手段３４の供給駆動制御手段４４及び放出駆動制御手段４５による供給機構１２０及び放出機構２３０の駆動制御の具体例を図１０〜図１３を参照して説明する。なお、貯留機構１１０内の案内板１１２ａ、１１２ｂ、１１２ｃ、１１２ｄ上には、複数の代替表示物としてプラスチックで成る疑似球Ｂが既に整列され貯留されているものとする。図１０に示すように、始動入賞口１２を遊技球ＢＢが通過したら、図１１に示すように、ソレノイド１２４ｂを駆動制御してシャッタ１２３ｂを開き、シャッタ１２３ａ、１２３ｂの間に保持されている１個の疑似球Ｂ１を供給管１２２に導入する。
【００４３】
そして、図１２に示すように、疑似球Ｂ１を供給口１１１ｂを介して案内板１１２ａの上端で受けて案内板１１２ａに沿って転動させ、案内板１１２ａの下端に既に貯留されている疑似球Ｂ２に接触させて整列させ貯留する。そして、ソレノイド１２４ｂを駆動制御してシャッタ１２３ｂを閉じるとともに、ソレノイド１２４ａを駆動制御してシャッタ１２３ａを開き、シャッタ１２３ａに接触して保持されている１個の疑似球Ｂ３をシャッタ１２３ａ、１２３ｂの間に落下させる。これと同時に、回転体２３１がステップ回転し、貯留されている疑似球Ｂのうち最下端の１個の疑似球Ｂ４を凹部２３１ｂの中に落し込む。このとき、疑似球Ｂ４よりも上方に整列して貯留されていた複数の疑似球Ｂは転動・落下するので、回転体２３１上は再び擬似球Ｂで満たされる。
【００４４】
続いて、図１３に示すように、疑似球Ｂ３をシャッタ１２３ａ、１２３ｂの間に保持した後、ソレノイド１２４ａを駆動制御してシャッタ１２３ａを閉じる。このとき、疑似球Ｂ３よりも上方に貯留されていた複数の疑似球Ｂは転動・落下するので、シャッタ１２３ａ上は再び擬似球Ｂで満たされる。これと同時に、回転体２３１がステップ回転し、凹部２３１ｂの中に落し込んだ疑似球Ｂ４を外部へ放出し、遊技機盤面１０の後方に配設されたトレイ等に回収する。
【００４５】
図１４（Ａ）、（Ｂ）は、保留表示装置のさらに別例の詳細を示す正面図及び側面図である。この保留表示装置３００は、始動入賞口１２の下方に配設されており、始動入賞口１２に入賞した遊技球の代替表示物を貯留する貯留機構３１０と、この貯留機構３１０に代替表示物を供給する供給機構３２０と、貯留機構３１０に貯留された代替表示物を放出する放出機構３３０と、供給機構３２０から代替表示物を適時供給する供給駆動制御手段４４（図３参照）と、放出機構３３０から代替表示物を適時放出する放出駆動制御手段４５（図３参照）を備えている。
【００４６】
貯留機構３１０は、始動入賞口１２の下部から下方へ延びる直方体状の貯留容器３１１と、この貯留容器３１１内の上部に傾斜し、かつ下端と貯留容器３１１の内壁との間に代替表示物が１個落下可能な落下口３１３が空くように配設された矩形状の案内板３１２を備えている。供給機構３２０は、遊技機盤面１０の裏面側であって貯留容器３１１の上方に配設された四角錐状の供給容器３２１と、この供給容器３２１の下部と貯留容器３１１の上部とを繋ぐ供給管３２２と、この供給管３２２の供給容器３２１側に所定間隔を空けて配設された２つの板状のシャッタ３２３ａ、３２３ｂ及び各シャッタ３２３ａ、３２３ｂに連接されたソレノイド３２４ａ、３２４ｂを備えている。
【００４７】
放出機構３３０は、貯留容器３１１内の下部に案内板３１２とは逆に傾斜して配設されたコンベアベルト３３１及びローラ３３２と、このローラ３３２と図示しないギア機構等で連結されたモータ３３３を備えている。供給駆動制御手段（第１の駆動制御手段）４４及び放出駆動制御手段（第２の駆動制御手段）４５は、例えばＲＯＭ等に記憶されたプログラムで構成されている。
【００４８】
案内板３１２は、始動入賞口１２に入賞した遊技球の代替表示物を積み重ねて複数貯留するとともに落下口３１３から下方の放出機構３３０へ代替表示物を１個ずつ落とし込むようになっている。供給容器３２１は、代替表示物を内部に積み重ねて貯留し、下方に配設された供給管３２２へ導入するようになっている。供給管３２２は、供給容器３２１の下部に設けられた導入口３２１ａと、貯留容器３１１の最上部に配置された案内板１１２の上方に穿孔された供給口３１１ｂとを連結し、供給容器３２１から導入される代替表示物を貯留容器３１１へ供給するようになっている。シャッタ３２３ａ、３２３ｂは、ソレノイド３２４ａ、３２４ｂの駆動により水平方向に移動、すなわち供給容器３２１の導入口３２１ａを開閉可能なように移動するようになっている。このように配置された各シャッタ３２３ａ、３２３ｂの開閉を交互に行うことにより、代替表示物を１個ずつ供給容器３２１の導入口３２１ａから貯留容器３１１の供給口３１１ｂを介して案内板３１２上へ供給させることができる。
【００４９】
コンベアベルト３３１は、代替表示物を１個ずつ分離して搬送可能なように仕切り部３３１ａが設けられており、モータ３３３により回動して代替表示物を貯留容器３１１の放出口３１１ａから外部へ放出し、遊技機盤面１０の後方に配設されたトレイ等に回収されて貯留容器３１１へ戻されるようになっている。貯留容器３１１と案内板３１２は例えば透明のプラスチックで形成されており、遊技者は遊技機盤面１０の前面を覆っているガラス板と貯留容器３１１を介して案内板３１２上に貯留されている遊技球及びコンベアベルト３３１上で整列して搬送される代替表示物を視認することができる。
【００５０】
このような保留表示装置３００も、始動入賞口１２に入賞する遊技球の代替表示物を順次貯留し、始動入賞口１２に遊技球が入賞する毎に行われる特別遊技の実行可否の判定結果に基づいて図柄表示装置１１に特別図柄を変動表示させた後に停止表示させる図柄変動演出、例えばハズレ、リーチ、スーパーリーチ、大当たりの開始の都度、貯留した代替表示物を１個ずつ放出するようになっている。以上のような貯留表示装置３００によれば、遊技者はその表示状態を見て容易に遊技状況を把握することができるとともに、保留消化状況を容易に把握することができる。
【００５１】
ここで、貯留制御手段３４の供給駆動制御手段４４及び放出駆動制御手段４５による供給機構３２０及び放出機構３３０の駆動制御の具体例を図１５〜図１８を参照して説明する。図１５に示すように、貯留機構３１０内の案内板３１２上には、複数の代替表示物としてプラスチックで成る疑似球Ｂが既に貯留され、コンベアベルト３３１の仕切り部３３１ａ間には、落下口３１３から落とし込まれた疑似球Ｂが１個ずつ収納されているものとする。図１６に示すように、始動入賞口１２を遊技球ＢＢが通過したら、ソレノイド３２４ｂを駆動制御してシャッタ３２３ｂを開き、シャッタ３２３ａ、３２３ｂの間に保持されている１個の疑似球Ｂ１を供給管３２２に導入する。
【００５２】
そして、図１７に示すように、疑似球Ｂ１を供給口３１１ｂを介して案内板３１２上に貯留する。これと同時に、コンベアベルト３３１が回動して先頭の疑似球Ｂ２をコンベアベルト３３１の最下端から外部に放出し、遊技機盤面１０の後方に配設されたトレイ等に回収する。このとき、案内板３１２上に貯留されていた複数の疑似球Ｂは転動・落下するので、コンベアベルと３３１上方は再び擬似球Ｂで満たされる。そして、ソレノイド３２４ｂを駆動制御してシャッタ３２３ｂを閉じるとともに、ソレノイド３２４ａを駆動制御してシャッタ３２３ａを開き、シャッタ３２３ａに接触して保持されている１個の疑似球Ｂ３をシャッタ３２３ａ、３２３ｂの間に落下させる。続いて、図１８に示すように、疑似球Ｂ３をシャッタ３２３ａ、３２３ｂの間に保持した後、ソレノイド３２４ａを駆動制御してシャッタ３２３ａを閉じる。このとき、疑似球Ｂ３よりも上方に貯留されていた複数の疑似球Ｂは転動・落下するので、シャッタ３２３ａ上は再び擬似球Ｂで満たされる。
【００５３】
図１９（Ａ）、（Ｂ）は、保留表示装置のさらに別例の詳細を示す正面図及び側面図である。この保留表示装置４００は、始動入賞口１２の下方に配設されており、始動入賞口１２に入賞した遊技球の代替表示物を貯留する貯留機構４１０と、この貯留機構４１０に代替表示物を供給する供給機構４２０と、貯留機構４１０に貯留された代替表示物を放出する放出機構４３０と、供給機構４２０から代替表示物を適時供給する供給駆動制御手段４４（図３参照）と、放出機構４３０から代替表示物を適時放出する放出駆動制御手段４５（図３参照）を備えている。
【００５４】
貯留機構４１０は、始動入賞口１２の下部から下方へ延びる円管状の貯留容器４１１を備えている。供給機構４２０は、遊技機盤面１０の裏面側であって貯留容器４１１の上方に配設された四角錐状の供給容器４２１と、この供給容器４２１の下部と貯留容器４１１の上部とを繋ぐ供給管４２２と、この供給管４２２の供給容器４２１側に所定間隔を空けて配設された２つの板状のシャッタ４２３ａ、４２３ｂ及び各シャッタ４２３ａ、４２３ｂに連接されたソレノイド４２４ａ、４２４ｂを備えている。放出機構４３０は、貯留容器４１１の下方に配設された回転体４３１及び回転体４３１と図示しないギア機構等で連結されたモータ４３２を備えている。供給駆動制御手段（第１の駆動制御手段）４４及び放出駆動制御手段（第２の駆動制御手段）４５は、例えばＲＯＭ等に記憶されたプログラムで構成されている。
【００５５】
貯留容器４１１は、上部背面に穿孔された供給口４１１ｂから供給される代替表示物を落下させて縦に１列で複数個重ねて貯留するようになっている。この貯留容器４１１は例えば透明のプラスチックで形成されており、遊技者は遊技機盤面１０の前面を覆っているガラス板を介して貯留容器４１１内部を落下して貯留される代替表示物を視認することができる。
【００５６】
供給容器４２１は、代替表示物を内部に積み重ねて貯留し、下方に配設された供給管４２２へ導入するようになっている。供給管４２２は、供給容器４２１の下部に設けられた導入口４２１ａと、貯留容器４１１の供給口４１１ｂとを連結し、供給容器４２１から導入される代替表示物を貯留容器４１１へ供給するようになっている。シャッタ４２３ａ、４２３ｂは、ソレノイド４２４ａ、４２４ｂの駆動により水平方向に移動、すなわち供給容器４２１の導入口４２１ａを開閉可能なように移動するようになっている。このように配置された各シャッタ４２３ａ、４２３ｂの開閉を交互に行うことにより、代替表示物を１個ずつ供給容器４２１の導入口４２１ａから貯留容器４１１の供給口４１１ｂを介して貯留容器４１１内へ供給させることができる。
【００５７】
回転体４３１は、例えばプラスチックで周面に保持羽根４３１ａで３等配された半球状の凹部４３１ｂを備えた円筒形状に形成されており、ステップ回転することにより貯留容器４１１の下部の開口部から代替表示物を凹部４３１ｂで１個ずつ受け取って外部へ放出し、遊技機盤面１０の後方に配設されたトレイ等に回収されて貯留容器４１１へ戻されるようになっている。なお、回転体４３１及びモータ４３２の代わりに、図２に示すようなシャッタ及びソレノイドで放出機構４３０を構成しても良い。
【００５８】
このような保留表示装置４００も、始動入賞口１２に入賞する遊技球の代替表示物を順次貯留し、始動入賞口１２に遊技球が入賞する毎に行われる特別遊技の実行可否の判定結果に基づいて図柄表示装置１１に特別図柄を変動表示させた後に停止表示させる図柄変動演出、例えばハズレ、リーチ、スーパーリーチ、大当たりの開始の都度、貯留した遊技球を１個ずつ放出するようになっている。以上のような貯留表示装置４００によれば、遊技者はその表示状態を見て容易に遊技状況を把握することができるとともに、保留消化状況を容易に把握することができる。
【００５９】
ここで、貯留制御手段３４の供給駆動制御手段４４及び放出駆動制御手段４５による供給機構４２０及び放出機構４３０の駆動制御の具体例を図２０〜図２３を参照して説明する。なお、貯留機構４１０の貯留容器４１１内には、複数の代替表示物としてプラスチックで成る疑似球Ｂが既に１列で重ねて貯留されているものとする。図２０に示すように、始動入賞口１２を遊技球ＢＢが通過したら、ソレノイド４２４ｂを駆動制御してシャッタ４２３ｂを開き、シャッタ４２３ａ、４２３ｂの間に保持されている１個の疑似球Ｂ１を供給管４２２に導入する。
【００６０】
そして、図２１に示すように、疑似球Ｂ１を供給口４１１ｂを介して貯留容器４１１の内壁に沿って落下させ、貯留容器４１１の下部に既に貯留されている最上部の疑似球Ｂ２の上に重ねて貯留する。そして、ソレノイド４２４ｂを駆動制御してシャッタ４２３ｂを閉じるとともに、ソレノイド４２４ａを駆動制御してシャッタ４２３ａを開き、シャッタ４２３ａに接触して保持されている１個の疑似球Ｂ３をシャッタ１２３ａ、１２３ｂの間に落下させる。
【００６１】
続いて、図２２に示すように、疑似球Ｂ３をシャッタ４２３ａ、４２３ｂの間に保持した後、ソレノイド４２４ｂを駆動制御してシャッタ４２３ｂを閉じる。このとき、疑似球Ｂ３よりも上方に貯留されていた複数の疑似球Ｂは転動・落下するので、シャッタ４２３ａ上は再び擬似球Ｂで満たされる。これと同時に、回転体４３１がステップ回転し、貯留されている疑似球Ｂのうち最下端の１個の疑似球Ｂ４を凹部４３１ｂの中に落し込む。このとき、疑似球Ｂ４よりも上方に重ねて貯留されていた複数の疑似球Ｂは転動・落下するので、回転体４３１上は再び擬似球Ｂで満たされる。そして、回転体４３１がステップ回転し、凹部４３１ｂの中に落し込んだ疑似球Ｂ４を外部へ放出し、遊技機盤面１０の後方に配設されたトレイ等に回収する。
【００６２】
なお、上述した各実施形態の保留表示装置１００、２００、３００、４００は遊技機盤面１０の中央に配設したが、遊技機盤面１０の左右何れか一方の側に配設するようにしても良い。また、ソレノイドの代わりにモータとギア機構、弾性体であるバネやゴム等を利用して可動させるようにしても良い。また、ハズレ、リーチ、スーパーリーチ、大当たりの判定結果によって疑似球の色や材質等を異ならせ、それらを供給機構１２０、２２０、３２０、４２０に個別に貯留しておき、供給機構１２０、２２０、３２０、４２０から貯留機構１１０、３１０、４１０に供給する一の色または材質の疑似球を選択する選択手段を副制御装置３０に設けるように構成しても良い。また、代替表示物としてプラスチックで成る疑似球を例に説明したが、特に限定されるものではなく、例えば金属で成る疑似球、または角柱ブロックや砂等であっても同様に適用可能である。
【産業上の利用可能性】
【００６３】
本発明は、遊技球を用いる弾球遊技機のみならず、始動入賞口を備えていれば遊技球以外の物、例えばコイン等を用いる遊技機にも適用可能である。
【図面の簡単な説明】
【００６４】
【図１】本発明の実施形態に係る弾球遊技機の遊技機盤面の外観を示す正面図である。
【図２】図１の保留表示装置の詳細を示す正面図及び側面図である。
【図３】図１の弾球遊技機の始動入賞口に係る機能を制御する装置のブロック図である。
【図４】図１の弾球遊技機の始動入賞口に係る動作を説明するためのフローチャートである。
【図５】図２の保留表示装置の動作を示す第１の図である。
【図６】図２の保留表示装置の動作を示す第２の図である。
【図７】図２の保留表示装置の動作を示す第３の図である。
【図８】図２の保留表示装置の動作を示す第４の図である。
【図９】図１の保留表示装置の別例の詳細を示す正面図及び側面図である。
【図１０】図９の保留表示装置の動作を示す第１の図である。
【図１１】図９の保留表示装置の動作を示す第２の図である。
【図１２】図９の保留表示装置の動作を示す第３の図である。
【図１３】図９の保留表示装置の動作を示す第４の図である。
【図１４】図１の保留表示装置のさらに別例の詳細を示す正面図及び側面図である。
【図１５】図１４の保留表示装置の動作を示す第１の図である。
【図１６】図１４の保留表示装置の動作を示す第２の図である。
【図１７】図１４の保留表示装置の動作を示す第３の図である。
【図１８】図１４の保留表示装置の動作を示す第４の図である。
【図１９】図１の保留表示装置のさらに別例の詳細を示す正面図及び側面図である。
【図２０】図１９の保留表示装置の動作を示す第１の図である。
【図２１】図１９の保留表示装置の動作を示す第２の図である。
【図２２】図１９の保留表示装置の動作を示す第３の図である。
【図２３】図１９の保留表示装置の動作を示す第４の図である。
【符号の説明】
【００６５】
１  弾球遊技機、２  ガイドレール、３  普通図柄表示部、１０  遊技機盤面、１１  図柄表示装置、１２  始動入賞口、１２ａ  始動入賞検出器、１３  拡大装置、１４  アタッカーユニット、１４ａ  大入賞口駆動源、１５  大入賞口、１６  入賞口、１７  ゲート、１８  アウト口、１９  風車、２０  主制御装置、２１  始動入賞口入賞判定手段、２２  表示概要決定手段、２３  大入賞口駆動制御手段、２４  コマンド送信手段、２５  抽選手段、２６  停止図柄決定手段、２７  概要変動パターン決定手段、３０  副制御装置、３１  コマンド受信手段、３２  可動物駆動判定手段、３３  画像制御手段、３４  貯留制御手段、３５  詳細表示内容確認手段、３６  予告時駆動判定手段、３７  タイミング判定手段、３８  抽選手段、３９  抽選判定テーブル、４１  抽選手段、４２  詳細表示内容決定手段、４３  表示概要記憶手段、４４  供給駆動制御手段、４５  放出駆動制御手段、１００、２００、３００、４００  保留表示装置、１１０、３１０、４１０  貯留機構、１１１、３１１、４１１  貯留容器、１１２ａ、１１２ｂ、１１２ｃ、１１２ｄ、３１２  案内板、１２０、３２０、４２０  供給機構、１２１、３２１、４２１  貯留容器、１２２、３２２、４２２  供給管、１３０、２３０、３３０、４３０  放出機構、１２３ａ、１２３ｂ、１３１ａ、１３１ｂ、３２３ａ、３２３ｂ、４２３ａ、４２３ｂ  シャッタ、１２４ａ、１２４ｂ、１３２ａ、１３２ｂ、３２４ａ、３２４ｂ、４２４ａ、４２４ｂ  ソレノイド、２３１、４３１  回転体、２３２、３３３、４３２  モータ、３３１  ベルトコンベア、３３２  ローラ
【図１】
2005103157.tif 000003
【図２】
2005103157.tif 000004
【図３】
2005103157.tif 000005
【図４】
2005103157.tif 000006
【図５】
2005103157.tif 000007
【図６】
2005103157.tif 000008
【図７】
2005103157.tif 000009
【図８】
2005103157.tif 000010
【図９】
2005103157.tif 000011
【図１０】
2005103157.tif 000012
【図１１】
2005103157.tif 000013
【図１２】
2005103157.tif 000014
【図１３】
2005103157.tif 000015
【図１４】
2005103157.tif 000016
【図１５】
2005103157.tif 000017
【図１６】
2005103157.tif 000018
【図１７】
2005103157.tif 000019
【図１８】
2005103157.tif 000020
【図１９】
2005103157.tif 000021
【図２０】
2005103157.tif 000022
【図２１】
2005103157.tif 000023
【図２２】
2005103157.tif 000024
【図２３】
2005103157.tif 000025